(57)【特許請求の範囲】
【請求項１】
ボイラ給水ポンプ（５０）の出口から高圧給水加熱器（７０）の入口に繋がる起動用給水管路（８０）、該起動用給水管路（８０）に設けられた起動用給水流量調節弁前弁（Ｂ８）および起動用給水流量調節弁（Ｂ９）、高圧給水加熱器（７０）の出口から節炭器（１１）の入口に繋がる高圧給水管路（８５）、該高圧給水管路（８５）に設けられた節炭器入口弁（Ｂ１０）を有する高圧給水系統（ＷＬｂ）と、
起動用給水流量調節弁前弁（Ｂ８）を迂回するようにして起動用給水管路（８０）に繋がる第１迂回管路（８０ａ）、該第１迂回管路（８０ａ）に設けられた起動用給水バイパス弁（Ｂ８ａ）を有する起動用給水バイパス系統（ＷＬｂ１）と、
節炭器入口弁（Ｂ１０）を迂回するようにして高圧給水管路（８５）に繋がる第２迂回管路（８５ａ）、該第２迂回管路（８５ａ）に設けられた節炭器入口弁バイパス弁（Ｂ１０ａ）を有する節炭器入口バイパス系統（ＷＬｂ２）とを備えた発電設備における高圧給水系統の水圧試験方法であって、
起動用給水流量調節弁前弁（Ｂ８）を閉、ニードル弁からなる起動用給水バイパス弁（Ｂ８ａ）を閉、起動用給水流量調節弁（Ｂ９）を開、節炭器入口弁（Ｂ１０）を閉、節炭器入口弁バイパス弁（Ｂ１０ａ）を開にした状態で、起動用給水バイパス弁（Ｂ８ａ）を徐々に開にし、
起動用給水バイパス弁（Ｂ８ａ）を全開した後に、節炭器入口弁バイパス弁（Ｂ１０ａ）を徐々に閉にするようにしたことを特徴とする発電設備における高圧給水系統の水圧試験方法。
【発明の詳細な説明】
【技術分野】
【０００１】
本発明は、例えば、火力発電設備における高圧給水系統の水圧試験方法に関する。
【背景技術】
【０００２】
従来のこの種の高圧給水系統の水圧試験方法は、ボイラ給水ポンプの出口から高圧給水加熱器の入口に繋がる起動用給水管路、該起動用給水管路に設けられた起動用給水流量調節弁前弁および起動用給水流量調節弁、高圧給水加熱器の出口から節炭器の入口に繋がる高圧給水管路、該高圧給水管路に設けられた節炭器入口弁を有する高圧給水系統と、起動用給水流量調節弁前弁を迂回するようにして起動用給水管路に繋がる第１迂回管路、該第１迂回管路に設けられた起動用給水バイパス弁を有する起動用給水バイパス系統と、節炭器入口弁を迂回するようにして高圧給水管路に繋がる第２迂回管路、該第２迂回管路に設けられた節炭器入口弁バイパス弁を有する節炭器入口バイパス系統とを備えている。
【０００３】
そして、節炭器入口弁を閉、節炭器入口弁バイパス弁を閉、起動用給水バイパス弁を閉、起動用給水流量調節弁前弁を開、起動用給水流量調節弁を徐々に開操作することで、高圧給水系統の水圧試験を行っていた。
【０００４】
また、従来の水圧試験装置として、例えば、脱気器内で生成した温水を、加圧ポンプで配管などに給水して水圧試験を行うものが公知になっている（特許文献１）。
【先行技術文献】
【特許文献】
【０００５】
【特許文献１】実開昭６２−１２８４９号公報
【発明の概要】
【発明が解決しようとする課題】
【０００６】
しかしながら、従来の水圧試験方法を行う際、節炭器入口弁、節炭器入口弁バイパス弁、起動用給水バイパス弁を閉にし、起動用給水流量調節弁で開操作しているので、ボイラ給水ポンプの水圧が一気に高圧給水系統にかかってしまい、高圧給水加熱器の高圧ヒータが損傷してしまうという問題がある。
【０００７】
そこで、本発明は、高圧給水系統にボイラ給水ポンプの水圧が一気にかからないように水圧試験を行えるようにした、発電設備における高圧給水系統の水圧試験方法を提供することを課題とする。
【課題を解決するための手段】
【０００８】
本発明に係る発電設備における高圧給水系統の水圧試験方法は、ボイラ給水ポンプ５０の出口から高圧給水加熱器７０の入口に繋がる起動用給水管路８０、該起動用給水管路８０に設けられた起動用給水流量調節弁前弁Ｂ８および起動用給水流量調節弁Ｂ９、高圧給水加熱器７０の出口から節炭器１１の入口に繋がる高圧給水管路８５、該高圧給水管路８５に設けられた節炭器入口弁Ｂ１０を有する高圧給水系統ＷＬｂと、起動用給水流量調節弁前弁Ｂ８を迂回するようにして起動用給水管路８０に繋がる第１迂回管路８０ａ、該第１迂回管路８０ａに設けられたニードル弁からなる起動用給水バイパス弁Ｂ８ａを有する起動用給水バイパス系統ＷＬｂ１と、節炭器入口弁Ｂ１０を迂回するようにして高圧給水管路８５に繋がる第２迂回管路８５ａ、該第２迂回管路８５ａに設けられた節炭器入口弁バイパス弁Ｂ１０ａを有する節炭器入口バイパス系統ＷＬｂ２とを備えた発電設備における高圧給水系統の水圧試験方法であって、起動用給水流量調節弁前弁Ｂ８を閉、ニードル弁からなる起動用給水バイパス弁Ｂ８ａを閉、起動用給水流量調節弁Ｂ９を開、節炭器入口弁Ｂ１０を閉、節炭器入口弁バイパス弁Ｂ１０ａを開にした状態で、起動用給水バイパス弁Ｂ８ａを徐々に開にし、起動用給水バイパス弁Ｂ８ａを全開した後に、節炭器入口弁バイパス弁Ｂ１０ａを徐々に閉にするようにしたことを特徴とする。
【０００９】
この場合、起動用給水流量調節弁前弁Ｂ８を閉、ニードル弁からなる起動用給水バイパス弁Ｂ８ａを閉、起動用給水流量調節弁Ｂ９を開、節炭器入口弁Ｂ１０を閉、節炭器入口弁バイパス弁Ｂ１０ａを開にした状態で、起動用給水バイパス弁Ｂ８ａを徐々に開にするようにしたので、節炭器入口弁バイパス弁Ｂ１０ａを開にすることで、予め高圧給水系統に圧力の逃がし経路がつくられるようになり、小径の起動用給水バイパス弁Ｂ８ａにより、高圧給水系統ＷＬｂの内部が徐々に昇圧されるようになる。そして、起動用給水バイパス弁Ｂ８ａを全開した後に、節炭器入口弁バイパス弁Ｂ１０ａを徐々に閉にするようにしたので、高圧給水系統ＷＬｂに設けられた高圧給水加熱器７０の高圧ヒータなどに支障をきたすことなく、昇圧された圧力、即ち水圧試験の圧力に保持できる。つまり、高圧給水加熱器７０の高圧ヒータなどに損傷を与えることなく、水圧試験を行うことができるようになる。
【発明の効果】
【００１０】
以上のように、本発明によれば、起動用給水流量調節弁前弁を閉、ニードル弁からなる起動用給水バイパス弁を閉、起動用給水流量調節弁を開、節炭器入口弁を閉、節炭器入口弁バイパス弁を開にした状態で、起動用給水バイパス弁を徐々に開にし、起動用給水バイパス弁を全開した後に、節炭器入口バイパス弁を徐々に閉にするようにしたので、小径の起動用給水バイパス弁による開操作により、ボイラ給水ポンプの水圧が高圧給水系統に一気にかからないようになり、高圧給水加熱器の高圧ヒータなどの損傷を防止できるという優れた効果を奏し得る。
【図面の簡単な説明】
【００１１】
【図１】本発明の一実施形態に係る火力発電設備の概略概念図を示す。
【図２】同実施形態に係る高圧給水系統を主とした詳細概念図を示す。
【図３】本発明の一実施形態に係るボイラ給水装置における高圧給水系統の構成を示す図。
【図４】本発明の一実施形態に係るボイラ給水装置における高圧給水系統の水圧試験方法のフローを示す図。
【発明を実施するための形態】
【００１２】
以下、本発明の一実施形態に係る火力発電設備について添付図面を参照しつつ説明する。
【００１３】
かかる火力発電設備は、図１に示す如く、水を加熱して蒸気にするボイラ１０と、該ボイラ１０で発生させた蒸気で駆動する蒸気タービン２０，２１，２２，２３と、該蒸気タービン２０，２１，２２，２３の駆動を受けて発電する発電機３０と、蒸気タービン２０，２１，２２，２３から排出される蒸気を冷却して水（飽和水）にするための復水器４０と、復水器４０で得られた水をボイラ１０に供給するボイラ給水ポンプ５０と、復水器４０に冷却水を供給する循環ポンプ６５とを備えている。
【００１４】
すなわち、火力発電設備１は、復水器４０で得られた水をボイラ給水ポンプ５０に送るべく、復水器４０とボイラ給水ポンプ５０とを繋ぐ復水系統ＷＬａと、復水系統ＷＬａからの水をボイラ１０に供給すべく、ボイラ給水ポンプ５０とボイラ１０とを繋ぐ高圧給水系統ＷＬｂと、ボイラ１０で発生させた蒸気を蒸気タービン２０，２１，２２，２３に供給し、該蒸気タービン２０，２１，２２，２３が排出した蒸気を復水器４０に送るべく、蒸気タービン２０，２１，２２，２３を介してボイラ１０と復水器４０とを繋ぐ蒸気系統ＳＬと、水源（本実施形態においては海）の水を復水器４０に送るべく、水源と復水器４０とを繋ぐ循環系統ＲＬを備えている。
【００１５】
前記ボイラ１０は、図１及び図２に示す如く、高圧給水系統ＷＬｂから供給される水を加熱する節炭器１１と、該節炭器１１で加熱された給水をさらに加熱して飽和蒸気を集める蒸気ドラム１２と、蒸気ドラム１２からの飽和蒸気を過熱して過熱蒸気を発生させる過熱器１３と、蒸気ドラム１２において分離された水を、下流側の水ドラム１５に給水するボイラ循環ポンプ１４と、該水ドラム１５において減温された給水を加熱して蒸気ドラム１２に循環させ、蒸気ドラム１２の蒸気温度を調整する火炉１６と、蒸気ドラム１２の上流側に設けられ、蒸発タービン（後述する高圧タービン）２０からの排気（蒸気）を過熱する再熱器１７とを備えている。
【００１６】
なお、蒸気ドラム１２は、内部に蒸気と水とを分離する分離器が設けられている（図示せず）。また、過熱器１３は、内部に、炉壁放射型過熱器１３ａ、蒸気冷却壁型過熱器１３ｂ、横置型過熱器１３ｃ、低温吊下型過熱器１３ｄ、隔壁放射型過熱器１３ｅ、板型過熱器１３ｆ、高温吊下型過熱器１３ｇを有している。これら過熱器１３ａ〜１３ｇは便宜上、図面ではＮＯ．１〜７と表記している。また、再熱器１７は、内部に、炉壁放射型再熱器１７ａ、吊下型再熱器１７ｂを有している。これら再熱器１７ａ，１７ｂは便宜上、図面ではＮＯ．１、２と表記している。
【００１７】
そして、本実施形態に係るボイラ１０は、過熱器１３によって過熱した蒸気を蒸気タービン（高圧タービン）２０に供給し、再熱器１７によって過熱した蒸気を別の蒸気タービン（後述する中圧タービン）２１に供給するようになっている。
【００１８】
本実施形態に係る火力発電設備１は、蒸気タービン２０，２１，２２，２３として、高圧タービン２０、中圧タービン２１及び低圧タービン２２，２３を備えており、高圧タービン２０及び中圧タービン２１が一台ずつ設けられ、低圧タービン２２，２３が二台設けられている。
【００１９】
そして、これらの蒸気タービン２０，２１，２２，２３は、高圧タービン２０、中圧タービン２１、低圧タービン２２，２３の順でそれぞれの出力軸が同軸になるように直列に配置され、出力軸が隣り合う蒸気タービン２０，２１，２２，２３の出力軸に連結されている。そして、前記発電機３０は、蒸気タービン２０，２１，２２，２３に対して横並びに配置されており、入力軸が低圧タービン２３の出力軸に接続されている。これにより、発電機３０は、高圧タービン２０、中圧タービン２１及び低圧タービン２２，２３の駆動を受けて発電するようになっている。
【００２０】
前記復水器４０は、蒸気タービン２２，２３の排気（蒸気）を冷却して水にするもので、本実施形態においては、蒸気タービン２２，２３（低圧タービン２２，２３）からの蒸気が導入される内部空間を画定するハウジング４００と、該ハウジング４００内に配設され、前記循環系統ＲＬからの冷却水を流通させる冷却管（図示せず）とを備え、ハウジング４００内に導入された蒸気を冷却管内の冷却水によって間接的に冷却し、これによって蒸気を凝縮させて水にするようになっている。すなわち、本実施形態に係る復水器４０には、表面復水器が採用されている。
【００２１】
ここで上記各系統ＷＬａ，ＷＬｂ，ＳＬ，ＲＬについて具体的に説明する。各系統ＷＬａ，ＷＬｂ，ＳＬ，ＲＬは、前記ボイラ１０、復水器４０、ボイラ給水ポンプ５０を基準に区画されている。
【００２２】
前記復水系統ＷＬａは、復水ポンプ５３の下流側（復水ポンプ５３とボイラ給水ポンプ５０との間）に、復水器４０で得られた水と蒸気タービン２０，２１，２２，２３の軸受け冷却水として使用された水とを熱交換させる復水熱交換器５４や、発電機３０の水素ガスを冷却する水素クーラ５５、復水器４０の真空度を維持するために内部の空気を抽出するエゼクタ５６、蒸気タービン２０，２１，２２，２３の軸シール蒸気と熱交換するグランドコンデンサ５７、蒸気タービン２０，２１，２２，２３からの抽気で水を加熱する低圧給水加熱器５９、蒸気によって水を直接加熱し、水に含まれる溶存ガスを物理的に分離除去する脱気器６０等が設けられている。また、低圧給水加熱器５９は、第１〜第３の低圧ヒータ５９ａ〜５９ｃを有している。
【００２３】
前記高圧給水系統ＷＬｂは、ボイラ給水ポンプ５０で送り出された水を蒸気タービン２０，２１，２２，２３からの抽気で加熱する高圧給水加熱器７０を備えている。また、高圧給水加熱器７０は、第５〜第７の高圧ヒータ７０ａ〜７０ｃを有している。この高圧給水系統ＷＬｂについては、後述にて詳細に説明する。
【００２４】
前記蒸気系統ＳＬは、蒸気タービン２０，２１，２２，２３が上述のように配列されることを前提に、ボイラ１０内の過熱器１３と高圧タービン２０の吸気側とを接続した第１スチーム管路ＳＬ１、高圧タービン２０の排気側と中圧タービン２１の吸気側とを接続した第２スチーム管路ＳＬ２、中圧タービン２１の排気側とボイラ１０内の再熱器１７とを接続した第３スチーム管路ＳＬ３、ボイラ１０内の再熱器１７と低圧タービン２２，２３の吸気側とを接続した第４スチーム管路ＳＬ４、低圧タービン２２，２３の排気側と復水器４０とを接続した第５スチーム管路ＳＬ５を備えている。
【００２５】
前記循環系統ＲＬは、水源（本実施形態においては海）に繋がる取水路と、水源から取水路８２に取り入れた冷却水を復水器４０に供給する循環ポンプ６５と、復水器４０で熱交換（蒸気の冷却）に利用された冷却水を水源に戻す放水路とを備えている。なお、本実施形態において循環系統ＲＬの水源は海であるが、発電設備１の立地条件によっては、河川が循環系統ＲＬの水源とされる場合がある。
【００２６】
つぎに本実施形態に係る火力発電設備１の運転方法について図１〜図３を参照して説明する。
【００２７】
まず、火力発電設備１の運転を開始する起動運転について説明する。火力発電設備１は、運転を開始する起動運転において、まず、循環系統ＲＬを駆動し、その後に復水系統ＷＬａを駆動する。
【００２８】
そして、ボイラ給水ポンプ５０を駆動して復水系統ＷＬａからの水をボイラ１０に供給する。そうすると、ボイラ１０内に水が溜まり、その水が蒸気となって蒸気系統ＳＬ（第１スチーム管路ＳＬ１）に供給される。これにより、蒸気タービン２０，２１，２２，２３が駆動して発電機３０が発電を開始し、蒸気タービン２０，２１，２２，２３から排出された蒸気が復水器４０に送られることになる。
【００２９】
そして、発電機３０が発電を開始すると、発電した電力の送電が開始される。また、
該発電機３０の出力が次第に増し、予め設定された出力値になる。
【００３０】
そして、発電機３０の出力が徐々に高まることになるため、発電機３０の出力に応じた水量の水（復水器４０の水）が必要となり、起動用給水流量調節弁Ｂ９が開動作となる。発電機３０がある値まで上昇すると、起動用給水流量調節弁Ｂ９から主給水流量調節弁Ｂ１２に切り替わる。すなわち通常運転中は起動用給水流量調節弁Ｂ９および起動用給水流量調節弁前弁Ｂ８は閉止であり、主給水流量調節弁Ｂ１２および主給水流量調節弁前弁Ｂ１１が開で運転する。
【００３１】
つぎにボイラ給水装置における高圧給水系統ＷＬｂの構成について、図３を参照して詳細に説明する。高圧給水系統ＷＬｂは、ボイラ給水ポンプ５０の出口から高圧給水加熱器７０の入口に繋がる起動用給水管路８０と、該起動用給水管路８０に設けられた起動用給水流量調節弁前弁Ｂ８および起動用給水流量調節弁Ｂ９と、ボイラ給水ポンプ５０の出口（起動用給水管路８０において、後述する起動用給水バイパス系統ＷＬｂ１の手前）から分岐されて高圧給水加熱器７０の入口（起動用給水流量調節弁Ｂ９の出口）に繋がる主給水管路８１と、該主給水管路８１に設けられた主給水流量調節弁前弁Ｂ１１および主給水流量調節弁Ｂ１２と、高圧給水加熱器７０の出口から節炭器１１の入口に繋がる高圧給水管路８５と、該高圧給水管路８５に設けられた節炭器入口弁Ｂ１０とを備えている。また、高圧給水系統ＷＬｂは、起動用給水流量調節弁前弁Ｂ８を迂回するようにして（一端および他端が）起動用給水管路８０に接続される（繋がる）第１迂回管路８０ａ、及び該第１迂回管路８０ａに設けられた起動用給水バイパス弁（手動ニードル弁）Ｂ８ａからなる起動用給水バイパス系統ＷＬｂ１と、節炭器入口弁Ｂ１０を迂回するようにして（一端および他端が）高圧給水管路８５に接続される（繋がる）第２迂回管路８５ａ、及び該第２迂回管路８５ａに設けられた節炭器入口弁バイパス弁Ｂ１０ａからなるボイラ入口バイパス系統ＷＬｂ２とを備えている。
【００３２】
そして、通常運転状態では、主給水流量調節弁前弁Ｂ１１、主給水流量調節弁Ｂ１２および節炭器入口弁Ｂ１０は開、起動用給水流量調節弁前弁Ｂ８、起動用給水流量調節弁Ｂ９、起動用給水バイパス弁Ｂ８ａおよび節炭器入口弁バイパス弁Ｂ１０ａは閉となっている。なお、図３において、開になっているものは▽と表記し、閉になっているものは▼と表記することにする。
【００３３】
つぎにボイラ給水装置における高圧給水系統ＷＬｂの水圧試験方法について、図４を参照して説明する。まず、起動用給水流量調節弁前弁Ｂ８を閉にし、起動用給水流量調節弁Ｂ９を全開にし、起動用給水バイパス弁Ｂ８ａが閉になっていることを確認し、節炭器入口弁Ｂ１０を閉にするとともに、節炭器入口弁バイパス弁Ｂ１０ａを例えば２回転開（全開は約５回転開であるから約４０％開）操作して、ボイラ給水ポンプ５０の圧力の逃げ道を予め作っておく（Ｓ１）。つぎに、３台あるうちの１台のボイラ給水ポンプ５０を起動させる一方、残りのうちの１台のボイラ給水ポンプ（図示せず）を待機させる（Ｓ２）。
【００３４】
その後、昇圧操作に移行する（Ｓ３）。即ち、節炭器入口弁バイパス弁Ｂ１０ａの２回転開を保持した状態で、起動用給水バイパス弁（手動ニードル弁）Ｂ８ａを例えば１／６ずつ回転して、最終的に例えば全開（１００％開＝６回転開）にする（Ｓ３１）。つまり、この起動用給水バイパス弁Ｂ８ａは、ニードル弁であることから、小径であるため、ボイラ給水ポンプ５０の圧力を高圧給水系統ＷＬｂに一気に掛けさせない構造になっているのである。これを徐々に操作すれば、高圧給水系統ＷＬｂの内部が所望の圧力に昇降できるのである。そして、起動用給水バイパス弁Ｂ８ａの全開状態を維持する一方、節炭器入口弁バイパス弁Ｂ１０ａを例えば１／４ずつ閉めて、最終的には例えば５／１２回転開状態（約８％開）にして、第７高圧ヒータ７０ｃの圧力を２４ＭＰａにし（Ｓ３２）、試験圧力計（図示せず）で測定して第７ヒータ７０ｃの圧力を確認する（Ｓ３３）。
【００３５】
ここで、第７高圧ヒータ７０ｃの前記圧力を例えば１０分間保持して、脱気器６０、第５高圧ヒータ７０ａ、第６高圧ヒータ７０ｂ、第７高圧ヒータ７０ｃの温度を測定する（Ｓ４）。
【００３６】
つぎに、降圧操作に移行する（Ｓ５）。即ち、起動用給水バイパス弁Ｂ８ａを例えば１／６ずつ閉操作して、全閉にする（Ｓ５１）。
【００３７】
その後、節炭器入口バイパス弁Ｂ１０ａを例えば１／２ずつ開操作して、節炭器入口弁バイパス弁Ｂ１０ａを例えば水圧試験前の状態（２回転開）にして、ボイラ給水ポンプ５０を停止する（Ｓ５２）。
【００３８】
（実施例）
前記試験方法に基づいて行った実施例について説明する。
前提条件として、３台あるうちの１台のボイラ給水ポンプ５０を起動させ、残りのうちの１台のボイラ給水ポンプをバックアップとして待機させる。また、起動用給水バイパス弁Ｂ８ａの最大ストロークを６回転とし、節炭器入口バイパス弁Ｂ１０ａの最大ストロークを５回転と３／１２回転とする。また、事前準備として、復水系統ＷＬａ、給水系統ＷＬｂ、ボイラ１０の水張りを完了状態にする。そして、水張り完了後、計器のエアー抜きを完了させるとともに、試験圧力計（図示せず）の仮設を完了させる。
【００３９】
水圧試験前において、起動用給水バイパス弁Ｂ８ａを全閉とし、節炭器入口バイパス弁Ｂ１０ａを２回転開させた（Ｓ１）状態において、第７高圧ヒータ７０ｃの圧力が０．１９となり、ボイラ給水ポンプ５０の出口の圧力が０．１９ＭＰａとなっている。
【００４０】
この状態から、３台のうちの１台のボイラ給水ポンプ５０を起動（残りのうちの１台のボイラ給水ポンプは待機）させる（Ｓ２）と、第７高圧ヒータ７０ｃの初期圧力が０．７１（以下、昇圧時の基準圧力値とする）となり、その圧力増加量は０．５２になる。その際、節炭器入口バイパス弁Ｂ１０ａから通水音がする。この場合のボイラ給水ポンプ５０の出口圧力は２５．６１ＭＰａである。
【００４１】
その後、昇圧操作（Ｓ３）に移行して、全閉状態の起動用給水バイパス弁Ｂ８ａを１／６ずつ開操作（昇圧操作）する一方、節炭器入口バイパス弁Ｂ１０ａの２回転開は保持する（Ｓ３１）。
【００４２】
そして、起動用給水バイパス弁Ｂ８ａを１回転させると、第７高圧ヒータ７０ｃの圧力が７．７４になり、前記基準圧力値からの増加量は７．０３になり、給水流量は２０．８になる。起動用給水バイパス弁Ｂ８ａを２回転させると、第７高圧ヒータ７０ｃの圧力が１２．５５になり、その圧力増加量は１１．８４になり、給水流量は３０．４になる。起動用給水バイパス弁Ｂ８ａを３回転させると、第７高圧ヒータ７０ｃの圧力が１４．１７になり、その圧力増加量は１３．４６になり、給水流量は３３．２になる。起動用給水バイパス弁Ｂ８ａを４回転させると、第７高圧ヒータ７０ｃの圧力が１４．５３になり、その圧力増加量は１３．８２になり、給水流量は３２．８になる。起動用給水バイパス弁Ｂ８ａを５回転させると、第７高圧ヒータ７０ｃの圧力が１４．５５になり、その圧力増加量は１３．８４になり、給水流量は３３．４になる。
【００４３】
ボイラ給水ポンプ５０の起動から約３０分後、起動用給水バイパス弁Ｂ８ａは６回転になって全開状態になる。この時点で、第７高圧ヒータ７０ｃの圧力が１４．６２になり、その圧力増加量は１３．８９になり、給水流量は３３．８になる。
【００４４】
そして、起動用給水バイパス弁Ｂ８ａの全開状態を維持する一方、節炭器入口バイパス弁Ｂ１０ａの閉操作を開始する。即ち、節炭器入口バイパス弁Ｂ１０ａを２回転開から１／４ずつ閉操作する（Ｓ３２）。
【００４５】
節炭器入口バイパス弁Ｂ１０ａを１回転させると、第７高圧ヒータ７０ｃの圧力が２１．６２になり、その圧力増加量は２０．９１になり、給水流量は、１４．１になる。そして、節炭器入口バイパス弁Ｂ１０ａが全閉になると、第７高圧ヒータ７０ｃの圧力が２３．７７（以下、降圧時の基準圧力値とする）になり、その圧力増加量は２３．０６になり、給水流量は、７．９になる。
【００４６】
この時点で、試験圧力計で第７高圧ヒータ７０ｃの圧力を測定する（Ｓ３３）と、略２４ＭＰａを示しており、この圧力を１０分間保持し、脱気器６０、高圧給水系統（第５〜第７高圧ヒータ７０ａ〜７０ｃ）ＷＬｂの温度を測定する（Ｓ４）と、脱気器６０が４１度、第５高圧ヒータ７０ａが４８度、第６高圧ヒータ７０ｂが４６．７度、第７高圧ヒータ７０ｃが４５．９度を示し、異常はみられない。
【００４７】
測定後、降圧操作（Ｓ５）に移行して、全開状態の起動用給水バイパス弁Ｂ８ａを閉操作（降圧操作）する（Ｓ５１）と、第７高圧ヒータ７０ｃの圧力が徐々に下がり始める。そして、起動用給水バイパス弁Ｂ８ａを３回転させると、第７高圧ヒータ７０ｃの圧力が２３．６８になり、その圧力増加量は０．０９になり、給水流量は７．７になる。起動用給水バイパス弁Ｂ８ａを４回転させると、第７高圧ヒータ７０ｃの圧力が２３．２になり、その圧力増加量は−０．０９になり、給水流量は、７．７になる。起動用給水バイパス弁Ｂ８ａを５回転させると、第７高圧ヒータ７０ｃの圧力が２１．６４になり、その圧力増加量は−２．１３になり、給水流量は３．６になる。起動用給水バイパス弁Ｂ８ａを全閉にすると、第７高圧ヒータ７０ｃの圧力が６．５６になり、その圧力増加量は−１７．２１になり、給水流量は４．１になる。
【００４８】
その後、節炭器入口バイパス弁Ｂ１０ａを１／４ずつ回転させて、節炭器入口バイパス弁Ｂ１０ａを２回転開の状態、即ち水圧試験前の状態にして、ボイラ給水ポンプ５０を停止する（Ｓ５２）。
【００４９】
なお、本発明は、上記実施形態に限定されるものではなく、本発明の要旨を逸脱しない範囲で、適宜変更することは可能である。
【符号の説明】
【００５０】
１…火力発電設備、１０…ボイラ、１１…節炭器、１２…蒸気ドラム、１３…過熱器、１３ａ…炉壁放射型過熱器、１３ｂ…蒸気冷却壁型過熱器、１３ｃ…横置型過熱器、１３ｄ…低温吊下型過熱器、１３ｅ…隔壁放射型過熱器、１３ｆ…板型過熱器、１３ｇ…高温吊下型過熱器、１４…ボイラ循環ポンプ、１５…水ドラム、１６…火炉、１７…再熱器、１７ａ…炉壁放射型再熱器、１７ｂ…吊下型再熱器、２０…高圧タービン（蒸気タービン）、２１…中圧タービン（蒸気タービン）、２２，２３…低圧タービン（蒸気タービン）、３０…発電機、４０…復水器、５０…ボイラ給水ポンプ、５３…復水ポンプ、５４…復水熱交換器、５５…水素クーラ、５６…エゼクタ、５７…グランドコンデンサ、５９…低圧給水加熱器、５９ａ〜５９ｃ…第１〜第３低圧ヒータ、６０…脱気器、６５…循環ポンプ、７０…高圧給水加熱器、７０ａ〜７０ｃ…第５〜第７高圧ヒータ、８０…起動用給水管路、８０ａ…第１迂回管路、８１…主給水管路、８５…高圧給水管路、８５ａ…第２迂回管路、４００…ハウジング、Ｂ８…起動用給水流量調節弁前弁、Ｂ８ａ…起動用給水バイパス弁（ニードル弁）、Ｂ９…起動用給水流量調節弁、Ｂ１０…節炭器入口弁、Ｂ１０ａ…節炭器入口弁バイパス弁、Ｂ１１…主給水流量調節弁前弁、Ｂ１２…主給水流量調節弁、ＷＬａ…復水系統、ＷＬｂ…高圧給水系統、ＳＬ…蒸気系統、ＳＬ１…第１スチーム管路、ＳＬ２…第２スチーム管路、ＳＬ３…第３スチーム管路、ＳＬ４…第４スチーム管路、ＳＬ５…第５スチーム管路、ＲＬ…循環系統、ＷＬｂ１…起動用給水バイパス系統、ＷＬｂ２…節炭器入口バイパス系統
【図１】
0005479976.tif 000002
【図２】
0005479976.tif 000003
【図３】
0005479976.tif 000004
【図４】
0005479976.tif 000005